(57)【要約】【課題】断層画像の取得範囲の画角を変更するために画角変更用の光学部材が挿入された場合でも、各種パラメータの値を適切な値に切り替え可能にし、好適な被検査物の断層画像を取得すること。【解決手段】光断層撮像装置において、断層画像の取得範囲の画角を変更するために走査手段と被検査物との間に画角変更用の光学部材が挿入されたか否かを判定する判定手段と、判定手段の判定結果に基づいて、光断層撮像装置の制御部の制御パラメータ、演算処理部の信号処理パラメータ、画像処理パラメータ、及び解析処理パラメータ、のうち少なくとも一つのパラメータの値を切り替える切り替え手段と、を配する。【選択図】図１
2020072967.tif 000002
【特許請求の範囲】
【請求項１】
光源と、
前記光源から出射された光を測定光と参照光とに分割する光分割器と、
前記測定光を被検査物で走査する走査手段と、
前記走査手段を介して前記測定光を前記被検査物に照射する光学系と、
前記被検査物からの前記測定光の戻り光と前記参照光との干渉光を受光する検出器と、
前記検出器の出力信号を処理して、前記被検査物の断層画像を取得する演算処理部と、を備えた光断層撮像装置において、
前記断層画像の取得範囲の画角を変更するために前記走査手段と前記被検査物との間に画角変更用の光学部材が挿入されたか否かを判定する判定手段と、
前記判定手段の判定結果に基づいて、前記光断層撮像装置を制御する制御部の制御パラメータ、前記演算処理部の信号処理パラメータ、画像処理パラメータ、及び解析処理パラメータ、のうち少なくとも一つのパラメータの値を切り替える切り替え手段と、
を有することを特徴とする光断層撮像装置。
【請求項２】
前記制御パラメータは前記走査手段の走査速度であり、
前記切り替え手段は、前記画角変更用の光学部材が挿入された場合に、前記走査速度を切り替えることを特徴とする請求項１に記載の光断層撮像装置。
【請求項３】
前記光学系は前記測定光の光路長と前記参照光の光路長との光路長差を変更する光路長差変更手段を有し、
前記制御パラメータは前記光路長差であり、
前記切り替え手段は、前記画角変更用の光学部材が挿入された場合に、前記光路長差を切り替えることを特徴とする請求項１又は２に記載の光断層撮像装置。
【請求項４】
前記断層画像を表示手段に表示させる表示制御手段を更に有し、
前記表示制御手段における前記断層画像を表示する際の表示制御パラメータは、前記画角変更用の光学部材が挿入された場合に前記切り替え手段が切り替える少なくとも一つの制御パラメータに含まれることを特徴とする請求項１乃至３の何れか一項に記載の光断層撮像装置。
【請求項５】
前記信号処理パラメータは、前記干渉光をサンプリングする数であり、
前記切り替え手段は、前記画角変更用の光学部材が挿入された場合に、前記サンプリングする数を切り替えることを特徴とする請求項１乃至４の何れか一項に記載の光断層撮像装置。
【請求項６】
前記信号処理パラメータは、前記検出器の出力信号を処理する際のゲインであり、
前記切り替え手段は、前記画角変更用の光学部材が挿入された場合に、前記出力信号のゲインを切り替えることを特徴とする請求項１乃至５の何れか一項に記載の光断層撮像装置。
【請求項７】
前記解析処理パラメータは、前記断層画像を解析処理する際に前記断層画像に含まれる複数の層の境界を判別に用いる閾値であり、
前記切り替え手段は、前記画角変更用の光学部材が挿入された場合に、前記閾値を前記断層画像における両端部と中央部とで切り替えることを特徴とする請求項１乃至６の何れか一項に記載の光断層撮像装置。
【請求項８】
操作者により前記画角変更用の光学部材が挿入されたことを入力する入力手段を更に有し、
前記判定手段は、前記入力手段による入力に応じて、前記画角変更用の光学部材が挿入されたことを判定することを特徴とする請求項１乃至７の何れか一項に記載の光断層撮像装置。
【請求項９】
前記判定手段は、前記検出器の出力信号に基づいて、前記画角変更用の光学部材が挿入されたか否かを判定することを特徴とする請求項１乃至８の何れか一項に記載の光断層撮像装置。
【請求項１０】
前記測定光路中に挿入された前記画角変更用の光学部材の挿入位置に基づいて、前記少なくとも一つのパラメータの値を決定する決定手段を更に有し、
前記切り替え手段は、前記画角変更用の光学部材が挿入された場合に、前記少なくとも一つのパラメータを前記決定された値に切り替えることを特徴とする請求項１乃至９の何れか一項に記載の光断層撮像装置。
【請求項１１】
前記画角変更用の光学部材の光学特性に基づいて、前記断層画像における深さ方向における複数の撮像位置における輝度の差が低減するように、前記複数の撮像位置のそれぞれにおける複数の前記断層画像の重ね合わせ枚数を決定する枚数決定手段を更に有することを特徴とする請求項１乃至１０の何れか一項に記載の光断層撮像装置。
【請求項１２】
前記被検査物は、被検眼であり、
前記画角変更用の光学部材の光学特性と前記被検眼の角膜の光学特性とに基づいて、前記断層画像の歪を補正する補正手段を更に有することを特徴とする請求項１乃至１１の何れか一項に記載の光断層撮像装置。
【請求項１３】
前記被検査物は、被検眼であり、
前記被検眼の前眼部画像と前記被検眼の眼底画像とのうち少なくとも一つを取得するために前記被検眼からの戻り光を受光する第二の検出部を更に有し、
前記判定手段は、前記第二の検出部の出力信号に基づいて、前記画角変更用の光学部材が挿入されたか否かを判定することを特徴とする請求項１乃至１１の何れか一項に記載の光断層撮像装置。
【請求項１４】
前記被検査物は、被検眼であり、
前記走査手段は、前記被検眼の前眼部と共役な位置に配置され、前記測定光を前記被検眼の眼底で走査することを特徴とする請求項１乃至１１の何れか一項に記載の光断層撮像装置。
【請求項１５】
コンピュータを、請求項１乃至１３の何れか一項に記載の光断層撮像装置の前記切り替え手段として実行させることを特徴とするプログラム。
【請求項１６】
光源と、前記光源から出射された光を測定光と参照光とに分割する光分割器と、前記測定光を被検査物で走査する走査手段と、前記走査手段を介して前記測定光を前記被検査物に照射する光学系と、前記被検査物からの前記測定光の戻り光と前記参照光との干渉光を受光する検出器と、前記検出器の出力信号を処理して、前記被検査物の断層画像を取得する演算処理部と、を備えた光断層撮像装置の制御方法において、
前記断層画像の取得範囲の画角を変更するために前記走査手段と前記被検査物との間に画角変更用の光学部材が挿入されたか否かを判定する工程と、
前記判定する工程における判定結果に基づいて、前記光断層撮像装置の制御部の制御パラメータ、前記演算処理部の信号処理パラメータ、画像処理パラメータ、及び解析処理パラメータ、のうち少なくとも一つのパラメータの値を切り替える工程と、
を有することを特徴とする光断層撮像装置の制御方法。
【請求項１７】
請求項１６に記載の光断層撮像装置の制御方法の各工程をコンピュータに実行させることを特徴とするプログラム。
【発明の詳細な説明】
【技術分野】
【０００１】
本発明は、被検査物の断層画像を撮る光断層撮像装置、その制御方法、及び当該制御方法を実行するプログラムに関する。
【背景技術】
【０００２】
光干渉断層撮像法（Ｏｐｔｉｃａｌ  Ｃｏｈｅｒｅｎｃｅ  Ｔｏｍｏｇｒａｐｈｙ、以下ＯＣＴという）を用いて、被検査物の断層画像を撮る光断層撮像装置（以下、ＯＣＴ装置という）が開発されている。ＯＣＴ装置では、低コヒーレント光である測定光を物体上に照射し、物体からの散乱・反射光を、参照光と干渉させることで干渉光を得ている。そして、該干渉光のスペクトルの周波数成分を分析することによって、高解像度の物体の断層画像を得ている。ここで、ＯＣＴ装置は、被検眼の眼底の断層画像等を得て当該被検眼の診察を行う眼底検査に好適に用いられる。
【０００３】
眼疾患は、眼底の病変部を早期に発見し、病変部が眼底の広範囲にまで進行することを遅らせる治療を早期に開始することが重要である。特に、病変部が黄班にまで進行すると、視覚に甚大な影響を与えるため、病変部が黄班から十分離れた位置にあっても、その病変部を発見したいという要求がある。この要求に答えるため、眼底検査に用いられるＯＣＴ装置の広画角化が期待されている。
【０００４】
特許文献１には、眼底撮像用のＯＣＴ装置に前眼部撮像用のアダプターを装着させ、撮影画角を変更する場合には前眼部撮像用アダプターに換えて広角レンズアダプターを装着する構成が開示されている。更に、当該構成にあっては、前眼部撮像用のアダプターの装着の有無を判定し、その結果をモニタに表示させている。
【０００５】
また、特許文献２には、眼底撮像用のＯＣＴ装置に前眼部撮像用アダプターを装着する構成が開示されており、ここではアダプターの装着の検知に応じてモニタ表示画面も眼底撮像用から前眼部撮像用に切り替えている。
【先行技術文献】
【特許文献】
【０００６】
【特許文献１】特開２０１１−１４７６０９号公報
【特許文献２】特開２０１３−２１２３１３号公報
【発明の概要】
【発明が解決しようとする課題】
【０００７】
前述したように、ＯＣＴ装置において、より広い眼底範囲での断層画像を一括取得することを可能とするために光学系の広角化が求められている。この際、ＯＣＴ装置の光学系は、標準的な対物レンズで最適設計されている。このため、広角撮影が必要な場合にはこの対物レンズを広角レンズに差し替えて装填する、或いは対物レンズの前段に光学レンズを挿入する対応が考えられる。また、同様に、ＯＣＴ装置においては更に、より狭い眼底範囲での断層画像を高分解能に取得するために光学系の狭画角化も求められている。
【０００８】
しかしながら、ＯＣＴ装置の光学系に対して画角を変更するための光学部材（例えば、広角レンズ）を光路に挿入した場合、各種パラメータの値が適切な値からずれてしまう。ＯＣＴ装置の制御部の制御パラメータとして走査手段の走査速度を考える場合、例えば、この光学部材が挿入された際に走査速度が一定のままだと、画像の分解能が低くなってしまう。また、ＯＣＴ装置の演算処理部の信号処理パラメータとして分散補償パラメータを考える場合、例えば、挿入された光学部材により測定光に分散が生じるため、測定光の分散と参照光の分散とが一致しなくなってしまう。
【０００９】
上述した課題に対して、本発明の目的の一つは、断層画像の取得範囲の画角を変更するために画角変更用の光学部材が挿入された場合でも、各種パラメータの値を適切な値に切り替え可能にし、好適な被検査物の断層画像を取得することである。
【課題を解決するための手段】
【００１０】
上記課題を解決するために、本発明に係る光断層撮像装置は、
光源と、
前記光源から出射された光を測定光と参照光とに分割する光分割器と、
前記測定光を被検査物で走査する走査手段と、
前記走査手段を介して前記測定光を前記被検査物に照射する光学系と、
前記被検査物からの前記測定光の戻り光と前記参照光との干渉光を受光する検出器と、
前記検出器の出力信号を処理して、前記被検査物の断層画像を取得する演算処理部と、を備えた光断層撮像装置において、
前記断層画像の取得範囲の画角を変更するために前記走査手段と前記被検査物との間に画角変更用の光学部材が挿入されたか否かを判定する判定手段と、
前記判定手段の判定結果に基づいて、前記光断層撮像装置を制御する制御部の制御パラメータ、前記演算処理部の信号処理パラメータ、画像処理パラメータ、及び解析処理パラメータ、のうち少なくとも一つのパラメータの値を切り替える切り替え手段と、を有する。
【発明の効果】
【００１１】
本発明によれば、断層画像の取得範囲の画角を変更するために画角変更用の光学部材が挿入された場合でも、各種パラメータの値を適切な値に切り替え可能にし、好適な被検査物の断層画像を取得することができる。
【図面の簡単な説明】
【００１２】
【図１】本発明の一実施例に係る眼科装置における光学系に含まれる諸構成を模式的に示す図である。
【図２】本発明の一実施例に係る眼科装置において、測定光によって被検眼をｘ方向にスキャンしている様子を示した図、及び得られた眼底二次元画像及びＢスキャン画像を、通常の画角及び画角が広げられた場合について各々示した図である。
【図３（ａ）】図１に示す眼科装置において、前眼部撮像部を用いて挿入レンズの測定光路上での有無を判定する方法について示すフローチャートである。
【図３（ｂ）】図１に示す眼科装置において、ＳＬＯ部を用いて挿入レンズの測定光路上での有無を判定する方法について示すフローチャートである。
【図３（ｃ）】図１に示す眼科装置において、ＯＣＴ部を用いて挿入レンズの測定光路上での有無を判定する方法について示すフローチャートである。
【図４（ａ）】図１に示す眼科装置において、ＯＣＴ信号の取得から画像解析に至る全体の工程を示すフローチャートである。
【図４（ｂ）】図１に示す眼科装置において、広画角化に対応したＯＣＴ信号の取得から画像解析に至る全体の工程を示すフローチャートである。
【図４（ｃ）】図１に示す眼科装置において、広画角化に対応したＯＣＴ信号の取得から画像解析に至る他の全体の工程を示すフローチャートである。
【図５（ａ）】ＯＣＴ画像を得る際の撮像条件における制御パラメータである横分解能の適正化を図る工程を示すフローチャートである。
【図５（ｂ）】ＯＣＴ画像を得る際の撮像条件における制御パラメータである深さ情報取得の際のパラメータの適正化を図る工程を示すフローチャートである。
【図５（ｃ）】ＯＣＴ画像を得る際の撮像条件における制御パラメータであるＣ−Ｇａｔｅ位置の適正化を図る工程を示すフローチャートである。
【図６（ａ）】ＯＣＴ画像を得る際の画像構成条件における制御パラメータである分散補償パラメータの適正化を図る工程を示すフローチャートである。
【図６（ｂ）】ＯＣＴ画像を得る際の画像構成条件において適正な表示距離を得るための制御パラメータの適正化を図る工程を示すフローチャートである。
【図６（ｃ）】ＯＣＴ画像を得る際の画像構成条件においてマップ解析を行う際の制御パラメータの適正化を図る工程を示すフローチャートである。
【図６（ｄ）】ＯＣＴ画像を得る際の画像構成条件においてＤＯＰＵ処理を行う際の制御パラメータの適正化を図る構成を示すフローチャートである。
【図６（ｅ）】ＯＣＴ画像を得る際の画像構成条件において血流速度処理を行う際の制御パラメータの適正化を図る構成を示すフローチャートである。
【図７】通常の画角のＯＣＴ画像を表示する際と広画角なＯＣＴ画像を表示する際とにおけるＧＵＩの表示例を示す図である。
【図８】広画角化して得られたＯＣＴ画像であることをＧＵＩに表示する態様を例示する図である。
【図９】広画角化したＯＣＴ画像を得る際に推奨される撮影様式を説明するための図である。
【発明を実施するための形態】
【００１３】
以下、本発明の実施例について、図面を参照して説明する。なお、以下の実施例は特許請求の範囲に関わる本発明を限定するものではなく、また、本実施例で説明されている特徴の組み合わせの全てが本発明の解決手段に必須のものとは限らない。また、以下の実施例では、本発明に係る検査装置として好適な光断層撮像（ＯＣＴ）装置を含む眼科装置について述べる。
【００１４】
図１は、本実施例における眼科装置の全体構成の概略図である。
本眼科装置は、光断層撮像（Ｏｐｔｉｃａｌ  Ｃｏｈｅｒｅｎｃｅ  Ｔｏｍｏｇｒａｐｈｙ；以下、ＯＣＴ）部１００、走査型検眼鏡（Ｓｃａｎｎｉｎｇ  Ｌａｓｅｒ  Ｏｐｈｏｔｈａｌｍｏｓｃｏｐｅ：以下、ＳＬＯ）部１４０、前眼部観察部１６０、内部固視灯部１７０、制御部２００から構成される。なお、制御部２００は、ＯＣＴ部１００と一体に構成されても良いし、有線あるいは無線で通信可能に接続することができれば別体に構成されていても良い。実際の被検眼の検査では、被検眼に対して後述する照明光源１１５以降に配置される光学部材、ＯＣＴ部１００等は単一の筐体内に収容され、光学ヘッドとして一体化されている。該光学ヘッドは、後述する被検眼に対する各種撮像を行う際に、被検眼との距離を適正距離とするアライメント等の動作を制御部２００の制御に基づいて実行する。内部固視灯部１７０により被検眼に固視標を注視させた状態で、前眼部観察部１６０により観察される被検体の前眼部の画像を用いて、装置のアライメントが行われる。アライメント完了後に、ＯＣＴ部１００とＳＬＯ部１４０とによる被検眼の眼底の撮像が行われる。以下、本眼科装置の各構成について説明する。
【００１５】
＜ＯＣＴ部１００の構成＞
ここではＯＣＴ部１００の構成について、図１を参照して説明する。
光源１０１は、低コヒーレント光源であるＳＬＤ光源（Ｓｕｐｅｒ  Ｌｕｍｉｎｅｓｃｅｎｔ  Ｄｉｏｄｅ）であり、例えば、中心波長８５０ｎｍ、バンド幅５０ｎｍの光を出射する。なお、本実施例では光源１０１としてＳＬＤを用いたが、ＡＳＥ光源（Ａｍｐｌｉｆｉｅｄ  Ｓｐｏｎｔａｎｅｏｕｓ  Ｅｍｉｓｓｉｏｎ）等、低コヒーレント光が出射できる光源であれば何れでも良い。
【００１６】
該光源１０１から出射された光は、ファイバ１０２、及び偏光コントローラ１０３を介して、ファイバカップラ１０４に導かれ、測定光（ＯＣＴ測定光とも言う）と参照光に分岐される。偏光コントローラ１０３は、光源１０１から出射された光の偏光の状態を調整するものであり、当該光は直線偏光に調整される。本実施例で用いるファイバカップラ１０４の分岐比は、９０（参照光）：１０（測定光）である。
【００１７】
分岐された測定光は、ファイバ１０５を介してコリメータ１０６から平行光として出射される。出射された測定光は、Ｘスキャナ１０７、レンズ１０８、レンズ１０９、Ｙスキャナ１１０を介してＤＣＭ（ダイクロイックミラー）１１１に到達する。なお、Ｘスキャナ１０７は眼底Ｅｒにおいて測定光を水平方向にスキャンするガルバノミラーから構成され、Ｙスキャナ１１０は眼底Ｅｒにおいて測定光を垂直方向にスキャンするガルバノミラーから構成される。また、走査手段であるＸスキャナ１０７及びＹスキャナ１１０は、駆動制御部１８０により制御され、眼底Ｅｒ上で所望の範囲の領域を測定光により走査することができる。ここで、走査手段は、被検眼１００の前眼部と共役な位置に配置され、測定光を眼底で走査することが好ましい。このとき、前眼部における測定光のケラレを低減することができる。また、ＤＣＭ１１１は、８００ｎｍ〜９００ｎｍの光を反射し、それ以外の光を透過する特性を有する。
【００１８】
ＤＣＭ１１１により反射された測定光は、レンズ１１２、フォーカスレンズ１１４及び前眼部Ｅａを経て、眼底Ｅｒの網膜層に照射される。該測定光は、ステージ１１６により光軸方向に移動可能に支持されたフォーカスレンズ１１４により、眼底Ｅｒの網膜層にフォーカスされる。フォーカスレンズ１１４の光軸方向の移動は、駆動制御部１８０により制御される。眼底Ｅｒを照射した測定光は各網膜層で反射・散乱し、上述の光学経路を逆にたどり、ファイバカップラ１０４に戻る。
【００１９】
一方、ファイバカプラ１０４で分岐された参照光は、ファイバ１１７を介してコリメータ１１８から平行光として出射される。出射された参照光は分散補償ガラス１２０介し、コヒーレンスゲートステージ１２１上のミラー１２２で反射され、ファイバカップラ１０４に戻る。コヒーレンスゲートステージ１２１は、被検者の眼軸長の相違等に対応する為、駆動制御部１８０によりミラー１２２が光軸方向に移動するように制御される。これにより、測定光の光路長と参照光の光路長との光路長差が制御可能となる。
【００２０】
ファイバカップラ１０４に戻った測定光と参照光とは合波されて干渉光となる。前述した光路長差が適切に制御されることにより好適なＯＣＴ信号を生成可能な干渉光が得られる。該干渉光は、ファイバ１２５及びコリメータ１２６を介してグレーティング１２７に導かれ、該グレーティング１２７により分光された後レンズ１２８を経てラインカメラ１２９で受光される。ラインカメラ１２９で受光された光は該光の強度に応じた電気信号とされ、信号処理部１９０に出力される。
【００２１】
以上述べた構成において、ファイバカップラ１０４は光源１０１から出射された光を測定光と参照光とに分割する光分割器に対応し、ＯＣＴ部１００の光路に配置されるスキャナ等の構成は測定光を被検眼上に照射する光学系に対応する。また、ラインカメラ１２９は、被検眼からの測定光の戻り光と参照光との干渉光を受光する検出器に対応する。更に、信号処理部１９０は、ラインカメラ１２９の干渉光に対応する出力信号に対して信号処理、画像処理、及び解析処理を実行して、被検眼の断層画像を取得する演算処理部に対応する。
【００２２】
＜ＳＬＯ部１４０の構成＞
次に、ＳＬＯ１４０の構成の一例について、図１を参照して説明する。
なお、本実施例において、ＳＬＯ１４０部は被検眼の眼底画像を取得する眼底画像取得手段の一例に相当する。
【００２３】
光源１４１は例えば半導体レーザであり、本実施例では、中心波長７８０ｎｍの光を測定光として出射する。光源１４１から出射された測定光（ＳＬＯ測定光とも言う）は、ファイバ１４２を介し、偏光コントローラ１４５で直線偏光に調整され、コリメータ１４３から平行光として出射される。出射された測定光は穴あきミラー１４４の穴あき部を通過し、レンズ１４７−１を介し、Ｘスキャナ１４６に至る。該Ｘスキャナ１４６は、眼底Ｅｒにおいて測定光を水平方向にスキャンするガルバノミラーから構成される。該Ｘスキャナ１４６を介した測定光は、レンズ１４７−２及びレンズ１４７−３を経て、Ｙスキャナ１４８に至る。該Ｙスキャナ１４８は、眼底Ｅｒにおいて測定光を垂直方向にスキャンするガルバノミラーから構成される。該Ｙスキャナ１４９を介した測定光は、第二のＤＣＭ（ダイクロイックミラー）１４９に到達する。なお、偏光コントローラ１４５を設けないこととしてもよい。Ｘスキャナ１４６及びＹスキャナ１４８は後述する駆動制御部１８０により制御され、眼底上で所望の範囲を測定光で走査する。第二のＤＣＭ１４９は、例えば７６０ｎｍ〜８００ｎｍを反射し、それ以外の光を透過する特性を有する。
【００２４】
第二のＤＣＭ１４９にて反射された直線偏光の測定光は、ＤＣＭ１１１を透過後、ＯＣＴ部１００のＯＣＴ測定光と同様の光路を経由し、眼底Ｅｒに到達する。
【００２５】
眼底Ｅｒに照射されたＳＬＯ測定光は、眼底Ｅｒで反射・散乱され、上述の光学経路を逆にたどり、穴あきミラー１４４に達する。該穴あきミラー１４４で反射された光が、レンズ１５０を介し、アバランシェフォトダイオード（以下、ＡＰＤと称する）１５２で受光され、電気信号に変換されて、後述する信号処理部１９０に出力される。
【００２６】
ここで、穴あきミラー１４４の位置は、被検眼の瞳孔位置と共役となっており、眼底Ｅｒに照射された測定光が反射・散乱された光のうち、瞳孔周辺部を通った光が、穴あきミラー１４４によって反射される。なお、本実施例では、光路の分離に穴あきミラー１４４を用いたが、これに限定されず例えば中空のミラーが蒸着されたプリズムによりこれを構成しても良い。
【００２７】
＜前眼部撮像部１６０の構成＞
次に、前眼部撮像部１６０の構成について、図面を参照して説明する。
前眼部撮像部１６０は、波長１０００ｎｍの照明光を発するＬＥＤ１１５−ａ、１１５−ｂから成る照明光源１１５により照明された前眼部Ｅａを撮像する。照明光源１１５から照射され且つ前眼部Ｅａで反射され光は、フォーカスレンズ１１４、レンズ１１２、ＤＣＭ１１１、及び第二のＤＣＭ１４９を介し、第三のＤＣＭ１６１に達する。第三のＤＣＭ１６１は、９８０ｎｍ〜１１００ｎｍの光を反射し、それ以外の光を透過する特性を有する。第三のＤＣＭ１６１で反射された光は、レンズ１６２、レンズ１６３、及びレンズ１６４を介し、前眼部カメラ１６５で受光される。前眼部カメラ１６５で受光された光は、電気信号に変換され、信号処理部１９０に出力される。
【００２８】
＜内部固視灯部１７０の構成＞
次に、内部固視灯１７０部の構成について、図面を参照して説明する。
内部固視灯部１７０は、表示部１７１及びレンズ１７２で構成される。表示部１７１として複数の発光ダイオード（ＬＤ）がマトリックス状に配置されたものを用いる。発光ダイオードの点灯位置は、駆動制御部１８０の制御により撮像したい部位に合わせて変更される。表示部１７１からの光は、レンズ１７２を介し、被検眼に導かれる。表示部１７１から出射される光は５２０ｎｍで、制御部１８０により所望のパターンが表示される。当該内部固視灯部１７０は、表示部１７１上の点灯位置を被検者に注視させることで固視を促し、その状態で被検眼の撮像を実行することで撮像したい部分の画像を得る。
【００２９】
＜制御部２００の構成＞
制御部２００の構成について、図面を参照して説明する。
制御部２００は、駆動制御部１８０、信号処理部１９０、表示制御部１９１、表示部１９２、及び切り替え部１９４から構成される。なお、表示部１９２は、制御部２００と通信可能に接続されていれば別体に構成されても良い。
【００３０】
駆動制御部１８０は、上述の通り、ＸＹスキャナ、ＳＬＯＸＹスキャナ、コヒーレンスゲートステージ１２１、フォーカスレンズ１１４、表示部１７１、を制御する。また、更には、ＯＣＴ部１００等を包含する筐体からなる光学ヘッドの被検眼に対するアライメントのための駆動系等、各部を制御する。
【００３１】
信号処理部１９０は、ラインカメラ１２９、後述するＡＰＤ１５２、及び前眼部カメラ１６５のそれぞれから出力される信号に基づき、画像の生成、生成された画像の解析、或いは解析結果の可視化情報の生成を行う。なお、画像の生成などの詳細については、後述する。
【００３２】
表示制御部１９１は、信号処理部１９０で生成された画像等を表示部１９２の表示画面に表示させる。表示部１９２は、表示内容等を指示する表示制御部１９１の制御の下、後述するように種々の情報を表示する。また、切り替え部１９４は、本装置全体を制御すると共に、駆動制御部１８０や表示制御部１９１等の制御部の制御パラメータ、信号処理部１９０においてＯＣＴ信号を処理する際の各処理パラメータの内の少なくとも一つを切り替える切り替え手段として機能するモジュール領域を有する。なお、各処理パラメータとしては、ゲイン等の信号処理パラメータ、画像処理を実行して画像を生成する際の画像処理パラメータ、更には後述するマップ処理等の画像の解析を実行する際に用いる解析パラメータが含まれる。
【００３３】
＜断層画像生成、及び、眼底画像生成＞
次に、信号処理部１９０において実行される画像生成及び画像解析の各処理について説明する。
信号処理部１９０は、ラインカメラ１２９から出力された干渉信号に対して、一般的なＳＤ−ＯＣＴ（Ｓｐｅｃｔｒａｌ  Ｄｏｍａｉｎ  ＯＣＴ）に用いられる再構成処理を行うことで、各偏光成分に基づいた断層画像を生成する。まず、信号処理部１９０は、干渉信号から固定パターンノイズ除去を行う。固定パターンノイズ除去は、検出した複数のＡスキャン信号を平均することで固定パターンノイズを抽出し、これを入力した干渉信号から減算することで行われる。次に、信号処理部１９０は、干渉信号を波長から波数に変換し、更にフーリエ変換を行うことによって断層信号を生成する。
【００３４】
信号処理部１９０はまた、ＡＰＤ１５２から出力された信号に対して、反射光の強度情報を処理することで、眼底画像を生成する。
【００３５】
＜画角変更＞
以上の様な装置を用い、眼底（Ｅｒ）の画角を変更した画像を撮像する場合について、次に説明する。本実施例では、眼底画像における画像の取得範囲を変更するする構成として、被検眼と光学ヘッドとの間にアダプターレンズとして挿入レンズ１９３を挿入する。図２は、当該挿入レンズ１９３の有無による測定光のスキャン範囲を被検眼の断面において模式的に示す図である。当該挿入レンズ１９３を測定光の光路中に挿入する事で、図２（ａ）に破線で示すスキャン範囲から図２（ｂ）に破線で示すスキャン範囲となるように光路が変化する。従って、眼底（Ｅｒ）での測定光のスキャン範囲が広くなり、眼底の広い領域（以後、広画角）を撮像する事が出来る。
【００３６】
具体的には、図２（ａ’）に示す画角のＯＣＴ画像から図２（ｂ’）で示す様な画角のＯＣＴ画像が取得できる。なお、広画角にＯＣＴ撮像する場合、湾曲する眼底が撮像範囲に可能な限り入るように、通常の画角のＯＣＴ画像の深さ撮像範囲よりも長い深さ撮像範囲に設定することが好ましい。また、ＳＬＯ画像についても、図２（ａ’’）に示す画角の画像から図２（ｂ’’）に示す様な画角のＳＬＯ画像が取得できる。本実施例では、挿入レンズ１９３として、−２０Ｄのレンズを用い、広画角を達成している。該挿入レンズ１９３として−２０Ｄのレンズを用いると、画角は元の画像のものより約１．５倍広くなる。本実施例では、ＯＣＴ画像のＸ方向走査距離が１０ｍｍから１５ｍｍに撮像範囲が広くなった。なお、本実施例では画角を１．５倍としているが、当該倍率は使用を想定した眼鏡に基づく例示であって可変とされる値であることは言うまでもない。
【００３７】
なお、以上の実施例では挿入レンズ１９３として眼鏡を用いた場合を想定しているが、該挿入レンズ１９３に対応し得る構成はこれに限定されない。コンタクトレンズ、眼科装置に備え付けられたアダプターレンズ、画角変更のために測定光路に挿入可能なその他の光学部材等、ＯＣＴ装置における走査手段と被検眼との間に挿脱可能であって画角変更が可能であれば、当該挿入レンズとして適用可能である。また、広画角化するための光学部材の挿入だけでなく、狭画角化するための光学部材の挿入においても適用可能である。
【００３８】
＜全体フロー＞
以上に述べた眼科装置を用い、ＯＣＴ画像の撮像から解析画面出力までの全体の流れを図４（ａ）〜図４（ｃ）に示すフローチャートを用いて説明する。
【００３９】
まず通常の画角のＯＣＴ画像の出力に至る工程について、図４（ａ）に示すフローチャートを参照して述べる。ＯＣＴ画像の撮像に際して、眼科装置がイニシャライズ（電気的チェック、光量など安全性チェック、メカ的チェック、等）を実施する（ステップ４０１）。イニシャライズ終了後、眼科装置のアライメント（被検者と本体の距離調整、フォーカス調整、Ｃ−ｇａｔｅ調整、及び固視調整）を実施する（ステップ４０２）。その後、撮像モード（黄斑モード、緑内障モード、等）を設定し（ステップ４０３）、当該モードでのＯＣＴ撮像（制御）を行い（ステップ４０４）、画像信号を取得する。続いて、得られた画像信号に対する信号処理を実施し、ＯＣＴ画像を取得し、該ＯＣＴ画像を解析する（ステップ４０５）。同時又はその後、結果をディスプレイに表示（ＧＵＩ表示）する（ステップ４０６）。
【００４０】
次に、画角を変更する場合における本実施例の具体例を以下に示す。本実施例では、先のフローチャートにおけるアライメント時（ステップ４０２）に挿入レンズ１９３を自動検出し、以降の工程を広画角に対応した場合について述べる。即ち、広画角化の後に、ＯＣＴ撮像（制御）、解析、及びＧＵＩ表示を実施した例の全体の流れ（フロー）について記述する。
【００４１】
まず、図４（ａ）に示した全体フローの場合と同様、イニシャライズ（ステップ４１１）を実施する。次に、アライメント（ステップ４１２）を実施する事で挿入レンズ１９３の有無を判定する。なお、この判定の方法については後述する。続いて、撮影モードを設定（ステップ４１３）後、挿入レンズ１９３の光路上の有無（ステップ４１４）に応じてＯＣＴ画像の撮像制御を変更する。具体的には、挿入レンズ１９３が配置されていると判定された場合にはフローはステップ４１５に移行し、配置されていないと判定された場合にはフローはステップ４１６に移行する。ＯＣＴ画像撮像時に制御されるパラメータとしては、例えば、スキャナの走査速度及びステップ間隔があり、これらの設定値を変更する。なお、制御部の制御パラメータの変更については後述する。
【００４２】
更に、挿入レンズ１９３の有無に応じて、解析条件の変更を実施する。具体的には、挿入レンズ１９３が配置されていると判定されていた場合にはフローはステップ４１５からステップ４１７に移行する。また、配置されていないと判定されていた場合にはフローはステップ４１６からステップ４１８に移行する。変更される解析条件としては、例えば、黄斑―乳頭間距離算出条件等、が例示される。
【００４３】
その後、挿入レンズ１９３の光路上の有無に応じて、ＧＵＩ表示（ステップ４１９、ステップ４２０）についてもこれを適正化する。変更される表示条件としては、例えば画像表示位置の変更等、が例示される。
【００４４】
なお、図４（ｂ）に示す例では、挿入レンズ１９３の光路上の有無は自動的に判定し且つフローもそれに応じて自動で決定されることとしている。しかし、例えば表示に至る処理速度の迅速化、或いは所謂装置の使い勝手の要請により、ユーザの設定、等により変更箇所を故意的に減らしても良い。このような例を図４（ｃ）に示す。当該フローチャートでは、ステップ４３１のイニシャライズからステップ４３５の解析までの工程は図４（ａ）のステップ４０１からステップ４０５までの工程と同一である。挿入レンズ１９３の光路上の有無は、ステップ４３６においてＧＵＩ表示する際の条件にのみ反映される。挿入レンズ１９３の存在の有無の判定後は、図４（ｂ）におけるステップ４１９或いはステップ４２０の操作が、ステップ４３７或いはステップ４３８において実行される。
【００４５】
＜挿入レンズ１９３の有無の判定方法：各種の画像や信号を利用＞
ここで、挿入レンズ１９３の測定光路上の有無の判定方法について、記述する。本実施例では、挿入レンズ１９３の検出装置を新たに付加させることなく、目的を達成する。なお、ここでは、前述した全体フローにおける装置アライメント（ステップ４０２）で挿入レンズ１９３の検出を実施した例について述べる。また、検者がＧＵＩ画面にチェックを入れることにより挿入レンズ１９３の測定光光路への挿入を検出する例について述べる。なお、以降に述べる画角変更用の光学部材である挿入レンズ１９３の測定光路中への挿入の有無の判定は、切り替え部１９４において判定手段として機能するモジュール領域により実行される。また、この判定手段による判定結果は、前述した切り替え手段により切り替えられるパラメータの判定基準を構成することとしても良い。なお、判定手段として機能するモジュール領域を、切り替え部１９４とは別体の判定部（不図示）として構成しても良い。
【００４６】
（１）前眼部画像の解析結果に基づいて挿入レンズ１９３の有無を判定
具体的な判定処理として、前眼部撮像部１６０を用い、前眼部撮影光の反射光に基づいて挿入レンズ１９３の有無を判定する。実際の被検眼検査時において、前眼部撮影光が挿入レンズ１９３の表面又は裏面にて反射する。その反射光は前眼部カメラ１６５で受光可能である。この反射光が受光されているか否かによって挿入レンズ１９３の光路上での有無を判定し、判定結果をメモリ（不図示）に保存する。
【００４７】
この判定方法の具体的フローを、図３（ａ）に示す。まず、前眼部画像を取得し（ステップ３０１）、次に、被検眼Ｅａと本体の距離（ワーキングディスタンス）を調整する（ステップ３０２）。調整後、前眼部画像を再び取得する（ステップ３０３）。前眼部画像の再取得後、ステップ３０３の前眼部画像に挿入レンズ１９３の反射光（ゴースト）が存在するか否かについて画像解析を実行する（ステップ３０４）。得られた画像解析の結果（ゴーストの有無）は、何れの結果の場合もメモリ（不図示）に保存する（ステップ３０５及び３０６）。
【００４８】
（２）ＳＬＯ部で得た眼底画像の解析結果に基づいて挿入レンズ１９３の有無を判定
挿入レンズ１９３の有無の判定には、前眼部撮像部１６０の他の構成によっても可能である。次に、ＳＬＯ部１４０を用いて挿入レンズ１９３の有無の判定を実行する例について述べる。ここでは、過去の前眼部画像データとＳＬＯ部１４０によって直前に得た前眼部画像のデータとを比較する事で挿入レンズ１９３の測定光路上での有無を判定する。具体的には、黄斑中心から血管までの距離（ピクセル数）により挿入レンズ１９３の有無を判定し、判定結果をメモリ（不図示）に保存することとしている。
【００４９】
この判定方法の具体的フローを、図３（ｂ）に示す。まず、被検者情報を入力し（ステップ３１１）、ＳＬＯ画像を取得し（ステップ３１２）、次に、被検眼Ｅａの眼底に対して画像を得るためのピントが合うようＳＬＯ部１４０のフォーカスを調整する（ステップ３１３）。調整後、ＳＬＯ画像を再び取得する（ステップ３１４）。ＳＬＯ画像の再取得後、ステップ３１１にて入力された被検者情報に基づき、過去のＳＬＯ画像をメモリ（不図示）あるいはデータベース（不図示）から読み出す。なお、データベースは、制御部２００と有線あるいは無線で通信可能に接続され、被検者のＩＤの入力に応じてＩＤに対応付いている過去のデータを検索し、検索されたデータを読み出すことができる。この過去のＳＬＯ画像とステップ３１４で再取得したＳＬＯ画像とを画像比較する（ステップ３１６）。これら画像の比較により画像変化の有無を判定し、その判定結果は何れの場合であってもメモリ（不図示）に保存する（ステップ３１７及び３１８）。
【００５０】
以上に述べた本実施例におけるＳＬＯ部１４０及び前眼部撮像部１６０は、被検眼の前眼部画像と被検眼の眼底画像とのうち少なくとも一つを取得するために被検眼からの戻り光を受光する第二の検出部を構成する。前述した切り替え部１９４における判定手段は、この第二の検出部の出力信号に基づいて、測定光路中に挿入レンズ１９３が挿入されたか否かを判定することが可能である。
【００５１】
（３）ＯＣＴ信号に基づいて挿入レンズ１９３の有無を判定
また、挿入レンズ１９３の有無の判定には、前述した前眼部撮像部１６０或いはＳＬＯ部１４０の他の構成によっても可能である。次に、ＯＣＴ部１００を用い、挿入レンズ１９３の測定光路上の有無の判定を実行する例について述べる。具体的には、挿入レンズ１９３が測定光路中に挿入されると、ＦＦＴ処理後のＯＣＴ信号に該挿入レンズ１９３による反射光の信号が観測される。ここでは、その反射光の信号に対応するゴーストの有無から挿入レンズ１９３の有無を判定する。即ち、この態様においては、前述した判定手段は、検出器たるラインカメラ１２９の出力信号に基づいて、測定光路中に挿入レンズ１９３が挿入されたか否かを判定する。
【００５２】
この判定方法の具体的フローを、図３（ｃ）に示す。まず、ＯＣＴ信号を取得し（ステップ３２１）、次に、ＯＣＴ画像を取得できるようＣ−Ｇａｔｅ位置を調整する（ステップ３２２）。調整後、ＯＣＴ信号を再び取得する（ステップ３２３）。更に、ステップ３２３で取得されたＯＣＴ信号を解析する（ステップ３２４）。解析の結果としてゴーストの有無を判定し、何れの結果であってもこれらをメモリ（不図示）に保存する（ステップ３２５及び３２６）。
【００５３】
（４）挿入レンズ１９３の有無の判定に関するその他の例
以上に、挿入レンズ１９３の判定方法について述べたが、判定方法はこれらに限定されない。例えば、前眼部モニタを用い、過去データを比較（瞳孔径等）し、更に画像の信号処理（輝度分布）等、を実行することにより挿入レンズ１９３の測定光路上の有無を判定しても良い。或いは、ＳＬＯ部１４０を用い、ＳＬＯ画像のゴースト（ガンマによる二値化領域分析等）、信号強度分布、黄斑-乳頭間の距離算出、等を実行する事で挿入レンズ１９３の測定光路上の有無を判定しても良い。
【００５４】
或いは、ＯＣＴ部１００を用い、ＯＣＴ画像のゴーストの検出、ＯＣＴ信号からの疑似ＳＬＯのゴースト画像の生成、過去データとの比較、ＯＣＴ感度低下のグラフ解析、等を実行する事で挿入レンズ１９３の測定光路上の有無を判定しても良い。なお、ＯＣＴ画像のゴーストの検出に際しては、Ｂスキャン画像について高輝度領域のエリア検出等を行うことが好適である。また疑似ＳＬＯのゴースト画像の生成に際しては、ＯＣＴ信号から生成されるＣスキャン画像解析によってこれが為される。過去データとの比較では、Ｂスキャン画像の比較、或いはＣスキャン画像の比較が好適である。また、ＯＣＴ感度の低下グラフは、レンズ挿入による感度低下の情報が含まれるとしてこれが解析される。
【００５５】
また、その他、ユーザによる入力（スイッチ、ＧＵＩ入力、等）、又は、レンズを検出する為の他の手段（磁気）等の新たな機構を設けても良い。これら機構によって、挿入レンズ１９３の測定光路上での有無を判定しても、同様の効果が得られる。即ち、挿入レンズ１９３の測定光路上への挿入の有無については、操作者によりこの有無について入力する入力手段を配しても良い。この場合、前述した判定手段は、この入力手段による入力に応じて、挿入レンズ１９３が測定光路中に挿入されたことを判定することとなる。
【００５６】
なお、本検出機構は前述したように挿入レンズ１９３として眼鏡が測定光路上に存在する場合を主たる対象とした場合を想定している。従って、前眼部用のＯＣＴアタッチメントを使用する場合には、眼鏡と当該アタッチメントとを区別する為、前述した眼科装置既存の構成とは別個に、これら異なる検出機構を設けることが好ましい。このような検出機構を配置することにより、挿入レンズ１９３の正確なパワーを検知する事が出来る。
【００５７】
＜ＯＣＴ撮像（制御）条件の変更：制御部の制御パラメータの切り替え＞
次に、ＯＣＴ装置の駆動制御部１８０や表示制御部１９１等の制御部の制御パラメータの切り替えについて説明する。
（１）制御パラメータ１：走査手段の走査速度の切り替え
図２にも示した通り、挿入レンズ１９３の測定光路への挿入により、広画角ＯＣＴ画像が取得できる。しかし、図２（ｂ’）に示した広画角ＯＣＴ画像は図２（ａ’）に示すＯＣＴ画像と比較すると横分解能（図２におけるｘ方向）が低下する。これは画角（撮像距離）が大きくなるが撮像時間は同じである為であり、信号が間引かれることにより横分解能が低下する。本実施例では、この横分解能低下を防止する為、ＯＣＴ部１００のＸスキャナ１０７のスキャン速度を通常の１／１．５倍（画角が１．５倍広くなった為）のスキャン速度に低下させ、横分解能が低下しない画像を取得した。
【００５８】
このような分解能の低下に対処する具体的な工程について、図５（ａ）に示すフローチャートを用いて次に説明する。先ず、ＯＣＴ撮像モードを選択（ステップ５０１）した後、挿入レンズ１９３の測定光路上での有無情報を得る（ステップ５０２）。ステップ５０２にて挿入レンズ１９３が測定光路に挿入されていると判定されると、フローはステップ５０３に移行する。ステップ５０３では、横分解能を同等に設定するか否かをＧＵＩ上に表示し、ユーザにこれを選択させる。横分解能が同等の設定が選択された場合、フローはステップ５０４に移行し、Ｘスキャナ１０７を通常の１／１．５倍（画角が１．５倍広くなった為）の速度で操作する。また、Ｙスキャナ１１０についても、同様に通常の１／１．５倍（画角が１．５倍広くなった為）の間隔で操作し（ステップ５０５）、Ｘ方向及びＹ方向の分解能が同等のＯＣＴ画像を取得する。ステップ５０２において挿入レンズ１９３が光路上に無いと判定された場合、フローはステップ５０７に移行して通常の画角のＯＣＴ画像の撮像が行われる。また、ステップ５０３にて横分解能を同等とする設定を選択した場合、分解能低下を希望していると判断して（ステップ５０６）スキャナの走査条件を変更せずに画角のみを変えてＯＣＴ画像の撮像を実行する（ステップ５０８）。
【００５９】
以上述べた測定光を被検眼上で走査する走査手段であるＸスキャナ及びＹスキャナの走査速度は本実施形態における制御パラメータの一例であり、前述した切り替え手段は測定光路中に挿入レンズ１９３が挿入された場合にこの走査速度を切り替えることとなる。
【００６０】
（２）制御パラメータ２：ラインカメラのセンサ間隔の切り替え
ここで、ＯＣＴ装置において、ラインカメラ１２９の有効ピクセル数を可変にできる機構を有するものも存在する。当該装置の場合、挿入レンズ１９３の測定光路への挿入に応じて、深さ情報をより深く得る事が出来るモードにする事で適正な画像を取得する事が出来る。ここで述べる適正な画像とは、例えば画像折れの無い、通常の画角のＯＣＴ画像と同じＸ−Ｚ比率の画像をいう。
【００６１】
このようなＯＣＴ画像を取得する場合の工程について、次に図５（ｂ）に示すフローチャートを用い説明する。当該工程では、先ず、ＯＣＴ撮像モードを選択（ステップ５１１）した後、挿入レンズ１９３の測定光路上での有無情報を得る（ステップ５１２）。ステップ５１２にて挿入レンズ１９３が測定光路に挿入されていると判定されると、フローはステップ５１３に移行する。ステップ５１３では、深さ撮像範囲を同等に設定するか否かをＧＵＩ上に表示し、ユーザにこれを選択させる。深さ撮像範囲を深くする設定が選択された場合は、フローはステップ５１４に移行し、ラインカメラ１２９のセンサ間隔を変更（信号取得間隔１／２：単位長さ当たりのセンサ数２倍）する。また、図５（ａ）に示した場合と同様に、ステップ５１２にて挿入レンズ１９３が測定光路上に無いと判定された場合、フローはステップ５１６に移行して通常の撮像条件でのＯＣＴ画像の撮像が実行される。更に、ステップ５１３にて深さ撮像範囲を変更しないとの設定が選択された場合には、フローはステップ５１５に移行し、ラインカメラの制御は変更せずに、画角のみを変えてＯＣＴ画像の撮像を実行する。
【００６２】
（３）制御パラメータ３：コヒーレンスゲート位置の切り替え
ここで、画角を広げる事により、上述の画像折れや、観察したい箇所の信号強度の低下が生じることが考えられる。従って、これらを抑える為、適正なＣ−Ｇａｔｅ（コヒーレンスゲート）位置にする必要がある。
【００６３】
このような画角拡大により生じ得る現象へ対処するための具体的な工程について、図５（ｃ）に示すフローチャートを用いて次に説明する。当該工程では、先ず、ＯＣＴ撮像モードを選択（ステップ５２１）した後、測定光路上における挿入レンズ１９３の有無情報を得る（ステップ５２２）。ステップ５２２にて挿入レンズ１９３が測定光路に挿入されていると判定されると、フローはステップ５２３に移行する。ステップ５２３では、Ｃ−Ｇａｔｅ位置の適正化設定を実行するか否かをＧＵＩ上に表示し、ユーザにこれを選択させる。Ｃ−Ｇａｔｅ位置の適正化設定を実行すると選択された場合、フローはステップ５２４に移行する。このとき、水平方向の撮像範囲の中央付近における網膜表面からＣ−Ｇａｔｅ位置までの距離を考える。挿入レンズ１９３が挿入されている際の距離が通常の画角のＯＣＴ撮像時の距離よりも長く（例えば、２倍以上）なるように、Ｃ−Ｇａｔｅ位置を設定する。このとき、前述したように、広画角にＯＣＴ撮像する場合には、湾曲する眼底が撮像範囲に可能な限り入るように、通常の画角のＯＣＴ画像の深さ撮像範囲よりも長い深さ撮像範囲に設定することが好ましい（図２（ｂ’）参照）。また、図５（ａ）に示した場合と同様に、ステップ５２２にて挿入レンズ１９３が測定光路上に無いと判定された場合、フローはステップ５２６に移行して通常位の撮像条件手のＯＣＴ画像の撮像が実行される。更に、ステップ５２３にて、Ｃ−Ｇａｔｅ位置を変更しないとの選択がされた場合には、Ｃ−Ｇａｔｅ位置制御は変更せずに画角のみを変えてＯＣＴ画像の撮像を実行する。上述の適正位置とは、脈略膜側にＣ−Ｇａｔｅ位置を設定する事を含む。
【００６４】
（４）制御パラメータ４：その他
なお、本実施例では、画角変更に伴う制御条件の再設定に関して上述の３つの制御について例示して述べた。しかし、制御条件の再設定の様式はこれら形態に限定されない。例えば、前回の撮像情報を反映させる、或いは画角の大きさにより他の制御機構を変更する事等によっても、最適な画像を取得する事が出来る事は記述するまでもない。
【００６５】
また、再設定の際に、他のＯＣＴ制御パラメータを変更する事も含まれる。例えば、画像のサイズを適正化する為、間引きスキャンを実施する事も含まれる。前述したコヒーレンスゲートステージ１２１を駆動制御する駆動制御部１８０は、光学系において測定光の光路長と参照光の光路長との光路長差を変更する光路長差変更手段を構成する。また、該光路長差は制御パラメータの一つであり、前述した切り替え手段は測定光路中に挿入レンズ１９３が挿入された場合に該光路長差を切り替えることが可能である。
【００６６】
また、撮像時間が延びる事により、眼球運動の影響を受ける為、重ね合せ枚数を増やす事等も含まれる。即ち、前述した表示制御手段における断層画像を表示する際の表示制御パラメータも、測定光路中に挿入レンズ１９３が挿入された場合に切り替え手段に切り替えられる少なくとも一つの制御パラメータに含まれる。
【００６７】
また、ＯＣＴ画像の撮像に際しては、ＳＬＯ部１６０によって得られた眼底画像を用いてトラッキングを行ってＢスキャン画像生成時の位置合わせを行うＳＬＯトラッキング技術が知られている。挿入レンズ１９３を測定光路中に挿入することで、ＯＣＴ画像撮像時における眼底上の測定光のスキャン速度が変化する。従って、ＳＬＯトラッキング技術を用いる場合においても、上述した画角の変化倍率等に対応して、ＳＬＯ測定光のスキャン速度、データ取得タイミング、データ取得レート等を変更することを要する。この場合においても、上述した各制御条件の再設定の例に準じて、これら制御パラメータの変更が実行されることが好ましい。
【００６８】
＜処理条件の変更：演算処理部の処理パラメータの切り替え＞
次に、演算処理部の処理パラメータの切り替えについて説明する。
（１）信号処理パラメータ１：分散補償パラメータの切り替え
ＯＣＴ画像の撮像に際し、挿入レンズ１９３の測定光路への挿入により、測定光側の分散と参照光側の分散とが異なる事により、画像劣化が発生する。この画像劣化を防止する為、信号処理の際の分散補償パラメータを再設定し、変更することが好ましい。このような分散補償パラメータの再設定の工程の具体例について、次に図６（ａ）に示すフローチャートを用いて述べる。
【００６９】
ラインカメラ１２９から出力されたＯＣＴ信号を得て（ステップ６０１）、当該ＯＣＴ信号に基づいて挿入レンズ１９３の測定光路上での有無情報を得る（ステップ６０２）。ステップ６０２にて、挿入レンズ１９３が測定光路中に挿入されていると判定されると、フローはステップ６０３に移行する。ステップ６０３では、ＰＳＦの半値幅が一番小さくなる箇所を探し、分散補償に用いるパラメータを再設定する。ステップ６０２にて挿入レンズ１９３が測定光路上に無いと判定された場合は、フローはステップ６０４に移行して通常のパラメータにてＯＣＴ画像の構成を実施する。
【００７０】
なお、本実施例では、分散補償パラメータの再設定に対しては信号処理で対応している。しかし、分散補償の様式は当該形態に限定されず、例えば参照光路側に同一のレンズを挿入する事でより正確に分散補償を行うことも可能である。
【００７１】
（２）信号処理パラメータ２：干渉光のサンプリングの数の切り替え
光源を波長掃引光源し、差動検知のディテクタで構成されるＳＳ−ＯＣＴ（Ｓｗｅｐｔ  Ｓｏｕｒｃｅ  ＯＣＴ）を用いる場合、信号処理パラメータとして、干渉光をサンプリングする数を含めても良い。この場合、前述した切り替え手段は、測定光路中に挿入レンズ１９３が挿入された場合に、変更される画角に対応するように干渉光をサンプリングする数を切り替えることが好ましい。ここで、前述したように、広画角にＯＣＴ撮像する場合には、湾曲する眼底が撮像範囲に可能な限り入るように、通常の画角のＯＣＴ画像の深さ撮像範囲よりも長い深さ撮像範囲に設定することが好ましい（図２（ｂ’）参照）。そこで、画角が広くなるように画角を変更する場合には、干渉光をサンプリングする数を増やすことが好ましい。これにより、例えば通常の画角のＯＣＴ画像の深さ撮像範囲よりも深い深さ撮像範囲の断層画像を得ることができるため、湾曲する眼底が撮像範囲に入り易くなる。なお、ここで言うサンプリングの数とはいわゆるｋクロックの周波数のことで、サンプリングの数を増やすことは、ｋクロックの周波数を高くすることに対応する。
【００７２】
（３）信号処理パラメータ３：ラインカメラからの出力信号のゲインの切り替え
また、スペクトル幅を持つ光源を、分光器によって検出するＳＤ−ＯＣＴを用いる場合、信号処理パラメータとして、ラインカメラ１２９からの出力信号を処理する際のゲインを含めても良い。この場合、切り替え手段は、画角の変更に対応するように、出力信号のゲインを切り替えることが好ましい。ここで、広画角にＯＣＴ撮像する場合には、例えば、網膜の上に存在する硝子体を観察したい場合が多い。そこで、画角が広くなるように画角を変更する場合には、ゲインを増やすことが好ましい。これにより、例えば通常の画角のＯＣＴ画像よりもコントラストが高い断層画像を得ることができるため、硝子体を強調した断層画像を得ることができる。
【００７３】
（４）解析処理パラメータ１：マップ等の２次元画像のサイズの切り替え
また、図２にも示した通り、挿入レンズレンズ１９３の挿入により、図２（ｂ’）に示す広画角ＯＣＴ画像が取得できる。この広画角ＯＣＴ画像は図２（ａ’）に示す通常の画角のＯＣＴ画像と比較すると横分解能（図２におけるＸ方向、更にはＹ方向）が低下する。これは、画角（撮像距離）が大きくなるが、サンプリング周期は同じである為、単位ｐｉｘｅｌ当たりの距離が異なることによる。本実施例では、このような事象を考慮し、ＯＣＴ画像からの解析数値を変更する事で適正な診断を支援する例を記述する。
【００７４】
近年、被検者のＯＣＴ画像を取得し、ノーマティブデータベース（正常眼のデータベース、以下ＮＤＢと称する。）と比較する事で被検者の疾患有無を検査している。例えば、緑内障診断する際、医師はＯＣＴ信号より得た神経線維層の厚みマップとＮＤＢとを比較する。その為、神経線維層の厚みマップを構成する際、Ｘ及びＹ方向のＯＣＴ画像表示時の距離を適正化することが好ましい。このようなＮＤＢ解析のための表示距離の適正化の工程について、図６（ｂ）に示すフローチャートを用いて述べる。
【００７５】
ラインカメラ１２９から出力されたＯＣＴ信号を得て（ステップ６１１）、当該ＯＣＴ信号に基づいて挿入レンズ１９３の測定光路上での有無情報を得る（ステップ６１２）。ステップ６１２にて、挿入レンズ１９３が測定光路中に挿入されていると判定されると、フローは６１３に移行する。このとき、マップのＸ及びＹ方向の距離を１／１．５倍（画角が１．５倍広くなった為）とする処理（サイズを小さくする処理）を実行する。ステップ６１２にて挿入レンズ１９３測定光路上に無いと判定された場合、フローはステップ６１４通に移行して常の解析条件を行う。
【００７６】
また、Ｅｎｆａｃｅ（Ｃ−スキャン）画像解析の際にもマップを用いる解析と同様のことが生じる。このため、ＯＣＴ画像の構築に際して同様の処理が実行されることが好ましい。このような解析処理の具体例について図６（ｃ）に示すフローチャートを用いて述べる。
【００７７】
ラインカメラ１２９から出力されたＯＣＴ信号を得て（ステップ６２１）、当該ＯＣＴ信号に基づいて挿入レンズ１９３の測定光路上での有無情報を得る（ステップ６２２）。ステップ６２２にて挿入レンズ１９３が測定光路中に挿入されていると判定されると、フローはステップ６２４に移行する。このとき、Ｅｎｆａｃｅ画像の解析パラメータとして、Ｅｎｆａｃｅ画像のＸ及びＹ方向の距離を１／１．５倍（画角が１．５倍広くなった為）とする処理（サイズを小さくする処理）を実行する。ステップ６２２にて挿入レンズ１９３が測定光路上に無いと判定された場合、フローはステップ６２４に移行して通常の解析条件にてＯＣＴ画像の構成を行う。
【００７８】
（５）解析処理パラメータ２：その他
以上に述べた各解析時における適正化の処理は、フェイズコレクション処理時、偏光ＯＣＴ装置のＤＯＰＵ（Ｄｅｇｒｅｅ  Ｏｆ  Ｐｏｌａｒｉｚａｔｉｏｎ  Ｕｎｉｆｏｒｍｉｔｙ）処理時、ＤｏｐｐｌｅｒＯＣＴ装置の血流速度処理時、等においても実行されることが好ましい。なお、ＤＯＰＵは、偏光の均一性を示すパラメータであり、ＲＯＩ毎に求められる。ＤＯＰＵ処理時及び血流速度処理時における適正化処理の工程を図６（ｄ）及び図６（ｅ）のフローチャートに示す。適正化処理において、ラインカメラ１２９から出力されたＯＣＴ信号を得て（ステップ６３１及び６４１）、当該ＯＣＴ信号に基づいて、測定光路における挿入レンズ１９３の有無情報を得る（ステップ６３２及び６４２）。ステップ６３２又は６４２にて挿入レンズ１９３が測定光路中に挿入されていると判定されると、フローはステップ６３３又は６４３に移行する。このとき、ＤＯＰＵ画像の解析パラメータとして、例えばＲＯＩの辺の長さを１．５倍（画角が１．５倍広くなった為）とする処理を実行する。また、血流速度の解析パラメータとして、広画角のＯＣＴ画像を用いて得られた血流速度を１／１．５倍（画角が１．５倍広くなった為）とする処理を実行する。ステップ６３２又は６４２にて挿入レンズ１９３が測定光路上に無いと判定された場合、フローはステップ６３４又は６４４に移行して通常の解析条件にてＯＣＴ画像の構成を行う。なお、ここでは、モニタに表示される断層画像のピクセル数が、画角を変更しても一定である場合を想定している。このような場合、１ピクセルの長さを１．５倍（画角が１．５倍広くなった為）とする処理を事前に実行していれば、上記の処理は不要である。
【００７９】
以上に述べたようにこれら処理時に用いられる各パラメータを挿入レンズ１９３の測定光路上での有無に対応させることにより、適正な解析数値を得る事が出来る。また、以上の事象は、セグメンテーションの閾値、他の機能ＯＣＴ、解析条件、の設定に際しても適応できる事は言うまでもない。例えば、解析処理パラメータの一つとして、断層画像を解析処理する際に断層画像に含まれる複数の層の境界を判別に用いるコントラスト、輝度等の閾値も含まれる。この場合、前述した切り替え手段は、測定光路中に挿入レンズ１９３が挿入された場合に、この閾値を断層画像における両端部と中央部とで切り替えることが好ましい。また、その際、これら切り替え用の閾値は予め挿入レンズ１９３のパワー等に応じたテーブルとして記憶されていることが好ましい。
【００８０】
また、測定光路中に挿入された挿入レンズ１９３の挿入位置に基づいて、少なくとも一つのパラメータの値を決定する決定手段として機能するモジュール領域を信号処理部１９０に配しても良い。この場合、挿入位置の検出には、操作者による入力、専用の検出器の使用等が考えられる。更にこの場合における切り替え手段は、測定光路上に挿入レンズ１９３が挿入された場合に、先の少なくとも一つのパラメータを決定された値に切り替えると良い。これにより、挿入位置に適した断層画像が得られることが期待される。
【００８１】
＜ＧＵＩ表示条件の変更：表示制御パラメータの切り替え＞
本実施例では、挿入レンズ１９３の測定光路中への挿入により、ＳＬＯ画像及びＯＣＴ画像のＸ及びＹ方向のスキャン範囲が１．５倍になる。この為、ＧＵＩ表示の際に画像のスケールバーに変更が必要になる。図７を用い、このスケールバーの変更について説明する。
【００８２】
まず、通常のＧＵＩ表示の例を図７（ａ）に示す。ＧＵＩ画面７００にはＧＵＩのヘッダ７０１にファイル、解析、設定、ヘルプ、等があり、更に前眼部モニタ画像７０２、ＳＬＯ画像７０３及びＯＣＴ画像７０４が表示されている。また、ＯＣＴ画像（Ｂスキャン画像）７０４上にはスケールバー７０５が併せて表示される。広画角でＯＣＴ撮影した際は、図７（ｂ）においてＯＣＴ画像７０６として示す様な画像が取得できる。この場合、スケールバーはスケールバー７０７として示す当該ＯＣＴ画像用に変更する必要がある。
【００８３】
また、広画角化した事を合せて表示する必要があるが、これについて図８に例示する様な表示をする事も効果がある。例えば、図８（ａ）に示す様に広画角化撮影用ボタン８００にチェックする、或いは図８（ｂ）に示す様に画像上に広画角化撮影した表示（−２０Ｄ：眼鏡有）をする、事も医師の適正な診断を支援する。
【００８４】
また、挿入レンズ１９３が測定光路中に挿入されている際には、画角が広くなる為画像表示パラメータであるγ、コントラスト、等を変更することも好ましい。また、このことは、マップ表示、３Ｄ画像、Ｅｎｆａｃｅ画像、等表示においても同様であり、上述した表示による対応をする事で同様の効果が得られる。また、スケールバー（スケール表示）、広画角取得画像である事、画像と情報の紐付け、広画角の程度（１．５倍）等についても同様に表示されることが好ましい。
【００８５】
なお、以上に述べた実施例では、眼科装置に用いるＯＣＴ部１００として、スペクトル幅を持つ光源を、分光器によって検出するＳＤ−ＯＣＴを用いる場合を例示した。しかしながら、光源を波長掃引光源し、差動検知のディテクタで構成されるＳＳ−ＯＣＴを用いた場合であっても同様の効果がある。
【００８６】
＜推奨モード：ＯＣＴフォーカス＞
上述した通り、挿入レンズ１９３のパワーを−３０Ｄ程度にすると、図９に例示するようにＯＣＴ画像の画角が広くなる。画角が広くなると、得られる画像における眼球の眼底アーチ部９０１に対応して、深さ情報を増やす必要がある。しかし、図５（ｂ）に示した深さ情報を増やすための処理を行った場合、ＯＣＴ信号取得時の測定光のフォーカスの適正エリアが限られてしまう。このため、フォーカスが合わない位置が測定領域中に存在してしまい、画像内にて輝度差が生じる。
【００８７】
ここでは、輝度差のない画像を得る為の処理について述べる。当該処理では、まず深さ方向における領域９０２（ａ）にフォーカスを合わせて当該領域でのＯＣＴ画像を取得する。次に、領域９０２（ｂ）、及び領域９０２（ｃ）に対して順次フォーカスを合わせて各々の領域でのＯＣＴ画像を取得する。その後、各層にて取得されたＯＣＴ画像を重ね合せることにより、より広画角で充分な深さ情報を有する適正なＯＣＴ画像が取得できる。
【００８８】
この場合、挿入レンズ１９３の光学特性に基づいて、断層画像における深さ方向における複数の撮像位置における輝度の差が低減するように、複数の撮像位置のそれぞれにおける複数の断層画像の重ね合わせ枚数を決定することが好ましい。また、このような重ね合せ枚数の決定は、信号処理部１９０において当該機能を事項するために構築された枚数決定手段として定義されるモジュール領域によって実行されることが好ましい。これによって、広画角で充分な深さ情報を有すると共に、つなぎ目において違和感のないＯＣＴ画像を提供することが可能となる。
【００８９】
また、以上の制御に対して更にＣ−Ｇａｔｅの制御をマッチさせることにより、更なる高画質なＯＣＴ画像が得られる。具体的には、領域９０２（ａ）にフォーカスを合わせ、Ｃ−Ｇａｔｅ位置を位置９０３（ａ）にし、ＯＣＴ画像を複数枚取得する。次に、領域９０２（ｂ）にフォーカスすると共にＣ−Ｇａｔｅ位置を位置９０３（ｂ）としてＯＣＴ画像を複数枚取得し、更に領域９０２（ｃ）にフォーカスすると共にＣ−Ｇａｔｅ位置を位置９０３（ｃ）としてＯＣＴ画像を複数枚取得する。以上の操作によって得られた３種類のＯＣＴ重ね合せ画像を用い、更に一枚のＯＣＴ画像に再構成する事で、最適な広画角であって、且つ深いＯＣＴ画像を取得する事が出来る。
なお、以上に述べた制御は、被検眼における硝子体の位置から実施しても良い。
【００９０】
＜推奨モード：膜厚適正化＞
図９に示したＯＣＴ画像の様に、広画角でＯＣＴ画像９００を取得すると、ＯＣＴ画像中央部９０４とＯＣＴ画像９０１の撮像条件は異なる。光学的な歪、入射角による光学距離、一次の散乱光による干渉信号、により、端部の正確な膜厚が測定困難となる。そこで、挿入レンズ１９３の測定光路中への挿入を検出した際は、以下の処理により適正な診断支援が可能となる。
【００９１】
即ち、ユーザの入力又はレンズ検知機能より、挿入レンズ１９３のパワー情報を最初に得る。次に、被検者の角膜データから光学スキャンエリアの各光学性能を算出する。その後、中心部からの画角に依存し、網膜の各層の膜厚算出に上述光学パラメータを反映させる。以上に述べた一連の各処理のフローに対して、本推奨モードを反映させる事で網膜の場所に依存せず、各層の膜厚が正確に得られる。なお、以上の操作は、挿入レンズ１９３の光学特性と被検眼の角膜の光学特性とに基づいて、断層画像の歪を補正する補正手段をとして機能する信号処理部１９０におけるモジュール領域により実行される。
【００９２】
以上に述べた様に、被検者が眼鏡により挿入レンズ１９３を測定光路に対して挿入することで広画角なＯＣＴ画像が取得可能な場合に、適正な制御と処理を実施する事で広画角であり且つ高分解能なＯＣＴ画像が取得できる。なお、以上に述べた実施例では、挿入レンズ１９３が−２０Ｄである場合について述べたが、この値は限定的なものではなく、＋２０Ｄであっても良い。その際は、画角が小さくなる為、上述とは逆のパラメータ設定を実施すれば良い。
【００９３】
＜その他の実施例＞
なお、本発明は上述した実施例に限定されるものではなく、本発明の趣旨を逸脱しない範囲内において、種々の変形、変更して実施することができる。例えば、上記の実施例では、被検査物が眼の場合について述べているが、眼以外の皮膚や臓器等の被検査物に本発明を適用することも可能である。この場合、本発明は眼科装置以外の、例えば内視鏡等の医療機器としての態様を有する。従って、本発明は眼科装置に例示される断層画像撮像装置として把握され、被検眼は被検査物の一態様として把握されることが望ましい。
また、その他の実施例として、光断層撮像装置と、被検眼の断層画像の取得範囲の画角を変更するために被検者が装着する画角変更用の光学部材と、を有する光断層撮像システムとして構成することも可能である。このとき、被検者が装着する画角変更用の光学部材としては、眼鏡やコンタクトレンズ等である。これにより、挿入レンズやアダプターレンズ等の装着を想定せずに設計された光断層撮像装置等においても、簡易に断層画像の取得範囲の画角を変更することができる。なお、眼科の医療現場において、レンズの反射によるゴースト等を避けるために、被検者には眼鏡やコンタクトレンズを外してもらってから被検眼を撮影するのが一般的であった。
この場合、上述したその他の実施例に係る光断層撮像システムは、光源と、前記光源から出射された光を測定光と参照光に分割する光分割器と、前記測定光を被検眼で走査する走査手段と、前記走査手段を介して前記測定光を前記被検眼に照射する光学系と、前記被検眼からの前記測定光の戻り光と前記参照光との干渉光を受光する検出器と、前記検出器の出力信号を処理して、前記被検眼の断層画像を取得する演算処理部と、を備えた光断層撮像装置と、前記断層画像の取得範囲の画角を変更するために被検者が装着する画角変更用の光学部材と、を有するものとして把握することが可能である。
【００９４】
また、本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９５】
１００：ＯＣＴ部、  ラインカメラ：１２９、  １４０：ＳＬＯ部、  １６０：前眼部撮像部、  １７０：内部固視灯部、  駆動制御部：１８０、  信号処理部：１９０、  表示制御部：１９１、  表示部：１９２、  挿入レンズ：１９３、  切り替え部：１９４、  制御部：２００
【図１】
2020072967.tif 000003
【図２】
2020072967.tif 000004
【図３（ａ）】
2020072967.tif 000005
【図３（ｂ）】
2020072967.tif 000006
【図３（ｃ）】
2020072967.tif 000007
【図４（ａ）】
2020072967.tif 000008
【図４（ｂ）】
2020072967.tif 000009
【図４（ｃ）】
2020072967.tif 000010
【図５（ａ）】
2020072967.tif 000011
【図５（ｂ）】
2020072967.tif 000012
【図５（ｃ）】
2020072967.tif 000013
【図６（ａ）】
2020072967.tif 000014
【図６（ｂ）】
2020072967.tif 000015
【図６（ｃ）】
2020072967.tif 000016
【図６（ｄ）】
2020072967.tif 000017
【図６（ｅ）】
2020072967.tif 000018
【図７】
2020072967.tif 000019
【図８】
2020072967.tif 000020
【図９】
2020072967.tif 000021
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
光源と、
前記光源から出射された光を測定光と参照光とに分割する光分割器と、
前記測定光を被検眼の眼底に照射する光学系と、
前記眼底からの前記測定光の戻り光と前記参照光との干渉光を受光する検出器と、
前記検出器の出力信号を処理して、前記眼底の断層画像を取得する演算処理部と、を備えた光断層撮像装置において、
前記眼底の断層画像の取得範囲の画角を変更するための画角変更用の光学部材が、前記光分割器と前記被検眼との間に挿入されたか否かを判定する判定手段と、
前記判定手段の判定結果に基づいて、前記演算処理部の信号処理パラメータの値を切り替える切り替え手段と、を有し、
前記信号処理パラメータは、測定光路における前記測定光の分散と参照光路における前記参照光の分散との差を低減するための分散補償パラメータを含み、
前記切り替え手段は、前記光分割器と前記被検眼との間に前記画角変更用の光学部材が挿入されたと判定された場合には、前記参照光路に対して分散補償用の光学部材の挿脱を行うことなく、前記挿入に伴う前記差の変化を補償するために前記分散補償パラメータの値を切り替える光断層撮像装置。
【請求項２】
前記信号処理パラメータは、前記干渉光をサンプリングする数を含み、
前記切り替え手段は、前記判定手段の判定結果に基づいて、前記サンプリングする数を切り替える請求項１に記載の光断層撮像装置。
【請求項３】
前記信号処理パラメータは、前記検出器の出力信号を処理する際のゲインを含み、
前記切り替え手段は、前記判定手段の判定結果に基づいて、前記出力信号のゲインを切り替える請求項１又は２に記載の光断層撮像装置。
【請求項４】
光源と、
前記光源から出射された光を測定光と参照光とに分割する光分割器と、
前記測定光を被検眼の眼底に照射する光学系と、
前記眼底からの前記測定光の戻り光と前記参照光との干渉光を受光する検出器と、
前記検出器の出力信号を処理して、前記眼底の断層画像を取得する演算処理部と、を備えた光断層撮像装置において、
前記眼底の断層画像の取得範囲の画角を変更するための画角変更用の光学部材が、前記光分割器と前記被検眼との間に挿入されたか否かを判定する判定手段と、
前記判定手段の判定結果に基づいて、前記光断層撮像装置を制御する制御パラメータの値を切り替える切り替え手段と、を有し、
前記制御パラメータは、前記測定光の光路長と前記参照光の光路長との光路長差を含み、
前記切り替え手段は、前記光分割器と前記被検眼との間に前記画角変更用の光学部材が挿入されたと判定された場合には、前記挿入に伴う前記光路長差の変化を補償するために前記光路長差を切り替える光断層撮像装置。
【請求項５】
前記演算処理部により取得された前記断層画像を表示手段に表示させる表示制御手段を更に有し、
前記制御パラメータは、前記表示制御手段における前記断層画像を表示する際の表示制御パラメータを含み、
前記切り替え手段は、前記判定手段の判定結果に基づいて、前記表示制御パラメータの値を切り替える請求項４に記載の光断層撮像装置。
【請求項６】
前記表示制御パラメータは、前記表示手段において表示される断層画像のスケールを含み、
前記切り替え手段は、前記判定手段の判定結果に基づいて、前記スケールを切り換える請求項５に記載の光断層撮像装置。
【請求項７】
操作者により前記画角変更用の光学部材が挿入されたことを入力する入力手段を更に有し、
前記判定手段は、前記入力手段による入力に応じて、前記画角変更用の光学部材が挿入されたと判定する請求項１乃至６の何れか一項に記載の光断層撮像装置。
【請求項８】
前記判定手段の判定結果と前記画角変更用の光学部材の光学特性とに基づいて、前記断層画像における深さ方向における複数の撮像位置における輝度の差が低減するように、前記複数の撮像位置のそれぞれにおける複数の前記断層画像の重ね合わせ枚数を決定する枚数決定手段を更に有する請求項１乃至７の何れか一項に記載の光断層撮像装置。
【請求項９】
前記判定手段は、前記検出器の出力信号に基づいて、前記画角変更用の光学部材が挿入されたか否かを判定する請求項１乃至８の何れか一項に記載の光断層撮像装置。
【請求項１０】
前記被検眼の前眼部画像と前記被検眼の眼底画像とのうち少なくとも一つを取得するために前記被検眼からの戻り光を受光する第二の検出器を更に有し、
前記判定手段は、前記第二の検出器の出力信号に基づいて、前記画角変更用の光学部材が挿入されたか否かを判定する請求項１乃至９の何れか一項に記載の光断層撮像装置。
【請求項１１】
前記画角変更用の光学部材の光学特性と前記被検眼の角膜の光学特性とに基づいて、前記断層画像の歪を補正する補正手段を更に有する請求項１乃至１０の何れか一項に記載の光断層撮像装置。
【請求項１２】
前記被検眼の前眼部と共役な位置に配置された走査手段は、前記測定光を前記被検眼の眼底で走査する請求項１乃至１１の何れか一項に記載の光断層撮像装置。
【請求項１３】
前記画角変更用の光学部材は、眼鏡、コンタクトレンズ、及び前記光断層撮像装置に備え付けられたアダプターレンズのいずれかである請求項１乃至１２の何れか一項に記載の光断層撮像装置。
【請求項１４】
光源と、前記光源から出射された光を測定光と参照光とに分割する光分割器と、前記測定光を被検眼の眼底に照射する光学系と、前記眼底からの前記測定光の戻り光と前記参照光との干渉光を受光する検出器と、前記検出器の出力信号を処理して、前記眼底の断層画像を取得する演算処理部と、を備えた光断層撮像装置の制御方法において、
前記眼底の断層画像の取得範囲の画角を変更するための画角変更用の光学部材が、前記光分割器と前記被検眼との間に挿入されたか否かを判定する工程と、
前記判定する工程における判定結果に基づいて、前記演算処理部の信号処理パラメータの値を切り替える工程と、を含み、
前記信号処理パラメータは、測定光路における前記測定光の分散と参照光路における前記参照光の分散との差を低減するための分散補償パラメータを含み、
前記切り替える工程では、前記光分割器と前記被検眼との間に前記画角変更用の光学部材が挿入されたと判定された場合には、前記参照光路に対して分散補償用の光学部材の挿脱を行うことなく、前記挿入に伴う前記差の変化を補償するために前記分散補償パラメータの値を切り替える光断層撮像装置の制御方法。
【請求項１５】
光源と、前記光源から出射された光を測定光と参照光とに分割する光分割器と、前記測定光を被検眼の眼底に照射する光学系と、前記眼底からの前記測定光の戻り光と前記参照光との干渉光を受光する検出器と、前記検出器の出力信号を処理して、前記眼底の断層画像を取得する演算処理部と、を備えた光断層撮像装置の制御方法において、
前記眼底の断層画像の取得範囲の画角を変更するための画角変更用の光学部材が、前記光分割器と前記被検眼との間に挿入されたか否かを判定する工程と、
前記判定する工程における判定結果に基づいて、前記光断層撮像装置を制御する制御パラメータの値を切り替える工程と、を含み、
前記制御パラメータは、前記測定光の光路長と前記参照光の光路長との光路長差を含み、
前記切り替える工程では、前記光分割器と前記被検眼との間に前記画角変更用の光学部材が挿入されたと判定された場合には、前記挿入に伴う前記光路長差の変化を補償するために前記光路長差を切り替える光断層撮像装置の制御方法。
【請求項１６】
請求項１４又は１５に記載の光断層撮像装置の制御方法をコンピュータに実行させるプログラム。
【手続補正２】
【補正対象書類名】明細書
【補正対象項目名】００１０
【補正方法】変更
【補正の内容】
【００１０】
上記課題を解決するために、本発明の一態様に係る光断層撮像装置は、
光源と、
前記光源から出射された光を測定光と参照光とに分割する光分割器と、
前記測定光を被検眼の眼底に照射する光学系と、
前記眼底からの前記測定光の戻り光と前記参照光との干渉光を受光する検出器と、
前記検出器の出力信号を処理して、前記眼底の断層画像を取得する演算処理部と、を備えた光断層撮像装置において、
前記眼底の断層画像の取得範囲の画角を変更するための画角変更用の光学部材が、前記光分割器と前記被検眼との間に挿入されたか否かを判定する判定手段と、
前記判定手段の判定結果に基づいて、前記演算処理部の信号処理パラメータの値を切り替える切り替え手段と、を有し、
前記信号処理パラメータは、測定光路における前記測定光の分散と参照光路における前記参照光の分散との差を低減するための分散補償パラメータを含み、
前記切り替え手段は、前記光分割器と前記被検眼との間に前記画角変更用の光学部材が挿入されたと判定された場合には、前記参照光路に対して分散補償用の光学部材の挿脱を行うことなく、前記挿入に伴う前記差の変化を補償するために前記分散補償パラメータの値を切り替える。